(57)【要約】【課題】２つ以上の液体、ゲル、スラリー、ペースト、および／または流体を１つまたは複数同時に任意に選択した比率の量で噴出する。【解決手段】ポンプディスペンサー１は、１つのノズルヘッド４と複数の流路部９ａ、９ｂと複数のポンプユニット７ａ、７ｂと複数のボトル３ａ、３ｂを備え、さらに、１つまたは複数の部位において上下で寸法の差異がある形状を有するポンプ押込み部を備え、ノズルヘッド４と連動しているポンプ押込み部１０を作動し、これに接触する1つまたは複数のポンプユニット７ａ、７ｂが押下作動され、ボトル３ａ、３ｂ内の内容物２３ａ、２３ｂを１つまたは複数同時に任意に選択した比率の量で噴出する。【選択図】図２
2010005537.tif 000002
【特許請求の範囲】
【請求項１】
２つ以上の液体、ゲル、スラリー、ペースト、および／または流体を１つまたは複数同時に任意に選択した比率の量で噴出するためのポンプディスペンサーであって、２つ以上の液体、ゲル、スラリー、ペースト、および／または流体を収容するそれぞれの容器と前記容器の内容物を吸引、加圧、圧送するそれぞれのポンプユニットを備え、前記内容物の噴出をおこなうノズルヘッドを備え、前記ノズルヘッドに前記それぞれの内容物の出口部分を備え、前記それぞれの出口部分と前記それぞれのポンプユニットの間をつなぐそれぞれの流路部を備え、１つまたは複数の部位において上下で寸法の差異がある形状を有するポンプ押込み部を備え、前記ノズルヘッド下部付近に前記ポンプ押込み部が機械的に接続されており、前記ポンプ押込み部の寸法の差異部分と１つまたは複数の前記ポンプユニットが直接または間接に接触する手段を備え、前記ノズルヘッドの作動によって前記ポンプ押込み部を作動し前記ポンプユニットを１つまたは複数同時に任意に選択した比率の量で作動させる手段を備え、前記それぞれの容器の前記それぞれの内容物を前記それぞれのポンプユニットおよび前記それぞれの流路部を通り前記ノズルヘッドの外へ噴出することを主要な特徴とするポンプディスペンサー。
【請求項２】
前記ノズルヘッドを回転しその回転位置によって、前記それぞれのポンプユニットを１つまたは複数同時に任意に選択した比率の量で作動させる手段を備えた、請求項１に記載のポンプディスペンサー。
【請求項３】
前記ポンプ押込み部を脱着する手段を備え、他の前記ポンプ押込み部と交換する、および／または前記ポンプ押込み部の上下の面の形状を異なるものを備え上下の面の装着方向を変更する手段を備えた、請求項１または請求項２に記載のポンプディスペンサー。
【請求項４】
トリガー式手段を備えた、請求項１または請求項２または請求項３に記載のポンプディスペンサー。
【請求項５】
前記ノズルヘッドの回転位置に合わせて筺体の外面に前記内容物の噴出比率および／または外部の湿度および／または外部の紫外線量および／または外部の温度および／または外部の環境の他のセンシング値を表示するラベルあるいはステッカーあるいは印刷あるいは刻印を備えた、請求項１または請求項２または請求項３または請求項４に記載のポンプディスペンサー。
【請求項６】
前記ポンプユニットは、前記内容物の化学的性質、粘性、物性および／または噴出する容量により、同一および／または異なる種類のポンプユニットを備えた、請求項１または請求項２または請求項３または請求項４または請求項５に記載のポンプディスペンサー。
【発明の詳細な説明】
【技術分野】
【０００１】
本発明は、２つ以上の液体、ゲル、スラリー、ペースト、および／または流体を１つまたは複数同時に任意に選択した比率の量で噴出するためのポンプディスペンサーに関するものである。
【背景技術】
【０００２】
液体、ゲル、スラリー、ペースト、および／または流体を、２つ以上の材料に分けて噴出する必要性がよくある。２つ以上の材料を、ほぼ実際の噴出の時まで、物理的に分離したまま保たなければならないためである。なぜなら２つ以上の材料を、噴出前に混合させた場合、時間の経過と共に、化学的または物理的に相互作用し、変質したり、劣化したり、不活性になる、そして意図した目的の効果がなくなることや持続しないことがある。２つ以上の材料が噴出中または噴出直後に物理的に混合された場合、これらは意図された目的で相互作用する。
たとえば、特定の接着剤とその硬化剤を別々の容器内に保管し、使用の際に決められた量で互いに混合することが必要である、同一の容器で保管すると硬化して使えなくなるためである。
【０００３】
さらに、２つ以上の材料を任意の比率の量で混合する必要性がよくある。この必要性は、しばしば材料が使われる環境に依存したり、消費者の嗜好や体質の違いにより生まれることがある。
たとえば、芳香剤を使う際、1つの容器に香り成分Ａもう一つの容器に香り成分Ｂを保持しておく。消費者の好みにより、あるいは室内の臭気の種類や濃さにより、成分Ａと成分Ｂの比率を調節し噴出したい要求がある。
たとえば、２つ以上の色の絵の具を別々の容器内に保管し使う際に適当な比率で混合することで違う色を作りたい要求がある。
たとえば、化粧品などで、1つの容器に保湿成分を持った液体、もう一つの容器に美容成分を持った液体を保持し、消費者の肌質の差（乾燥肌や湿り肌など）や気温や湿度や紫外線量などにより、使う際に比率を調節し噴出したい要求がある。
【０００４】
本発明の分野に関連する特許は、以下の通りである。
【特許文献１】特表２００５−５０８７４２
【特許文献２】特開２００２−５９９８１
【特許文献３】特開２００６−２６４７６１
【０００５】
上記特許文献１には、２つ以上の液体を分与するためのドージングポンプが開示されている。
このドージングポンプの分与アセンブリは、分与要素と、前記分与要素と流動連絡している円筒形のチャンバと、前記円筒形のチャンバ内に密封可能かつ滑動自在に取り付けられたピストンまたはベローズとを備え、該ピストンまたはベローズが、ストロークの対応する反対側の休止端部および分与端部で、休止位置と分与位置の間の移動ストロークを有し、各液体、ゲル、スラリー、および／またはペースト分与アセンブリがさらに、排出バルブ手段と流体連絡している取入バルブ手段を備え、操作ボタンの動きによって、同時にまたはほぼ同時に作動される。
上記特許文献２には、２液を同時に噴出させ、かつ、混合させる操作と、所要の１液を選別して噴出させる操作とを容易に選択することができる容器が開示されている。
この容器は、上面の押下げ板を押し下げることで左右のヘッドを同時にポンピングし材料を噴出している、個別にポンピングする場合には、押し下げ板から外れた部分の各ヘッドを押し下げる。
上記特許文献３には、収納体からの個別、混合注出を選択可能とした多連式容器が開示されている。
この多連式容器は、ノズルヘッドを上部へ突出させ、その蓋体に押圧連係部材を設け蓋体を押し下げることで、前記ノズルヘッドを一つ又は全てを押し下げ内容物を注出する。
【発明の開示】
【発明が解決しようとする課題】
【０００６】
しかしながら、特許文献１のドージングポンプでは、構造上、２つ以上の内容物を同時にまたはほぼ同時に同じ比率で分与するため、内容物を任意の比率の量で分与できないという不都合がある。このため、消費者により、内容物を任意に選択した比率の量で調整し使うことができないという問題点がある。また、特許文献１のドージングポンプでは、多種多様な内容物や分与量に対しポンプ構造に汎用性がなく、専用の部品を作る必要がありコスト（樹脂型などの投資）が高くなる欠点がある。
特許文献２と特許文献３においても、構造上、２つ以上の内容物を同時にまたはほぼ同時に同じ比率で分与するため、内容物を任意の比率の量で分与できないという不都合がある。このため、消費者により、内容物を任意に選択した比率の量で調整し使うことができないという問題点がある。
本発明は、複数の内容物を消費者の好みにより任意に選択した比率の量で噴出できるポンプディスペンサーである。
【０００７】
また、特許文献３は、筒状体内で複数のノズルヘッドを直接押し下げる構造のため、内容物が３つ以上になる場合にはノズルヘッドも３つ以上配置される。このとき上部ノズルヘッドの配置スペースが広く必要となる。よって、筒状体や蓋体を大きくすることになる、このような商品はコンパクト性に欠け商品性がなくなるという問題がある。
本発明は、１つのノズルヘッドにそれぞれの内容物の流路部（軟質なパイプあるいはチューブなどが望ましい）を配置することで筐体上部の構造を小さくできるポンプディスペンサーである。
また、特許文献３は、蓋体と筒状体の内部に空間が必要であり、この空間の窓孔を通り外界から容易にホコリや水などが浸入する、よって空間内を清潔に保つことができない問題がある。
本発明のポンプディスペンサーは、外部に露出した空間や窓を持たずホコリや水などが外界から侵入することがない。
【０００８】
また、特許文献３では、消費者は主に蓋に記された目印を見てどの内容物が噴出するかを知る。しかし消費者にとって目印だけでは、見落とし間違った操作をする恐れがある。
本発明は、ノズルヘッドの向いている方向が内容物と一致するため、ノスルヘッドを操作しその形の感触および視覚の両方により噴出される内容物を認識できる、よって間違った操作をする恐れが少ない。
【０００９】
本発明は、上記のような課題を解決するためになされたものであり、本発明の１つの目的は、２つ以上の液体、ゲル、スラリー、ペースト、および／または流体を１つまたは複数同時に任意に選択した比率の量で噴出することが可能なポンプディスペンサーを提供することである。
【課題を解決するための手段】
【００１０】
本発明は、２つ以上の液体、ゲル、スラリー、ペースト、および／または流体を１つまたは複数同時に任意に選択した比率の量で噴出するためのポンプディスペンサーであって、２つ以上の液体、ゲル、スラリー、ペースト、および／または流体を収容するそれぞれの容器と前記容器の内容物を吸引、加圧、圧送するそれぞれのポンプユニットを備え、前記内容物の噴出をおこなうノズルヘッドを備え、前記ノズルヘッドに前記それぞれの内容物の出口部分を備え、前記それぞれの出口部分と前記それぞれのポンプユニットの間をつなぐそれぞれの流路部を備え、１つまたは複数の部位において上下で寸法の差異がある形状を有するポンプ押込み部を備え、前記ノズルヘッド下部付近に前記ポンプ押込み部が機械的に接続されており、前記ポンプ押込み部の寸法の差異部分と１つまたは複数の前記ポンプユニットが直接または間接に接触する手段を備え、前記ノズルヘッドの作動によって前記ポンプ押込み部を作動し前記ポンプユニットを１つまたは複数同時に任意に選択した比率の量で作動させる手段を備え、前記それぞれの容器の前記それぞれの内容物を前記それぞれのポンプユニットおよび前記それぞれの流路部を通り前記ノズルヘッドの外へ噴出することを主要な特徴とするポンプディスペンサーである。
【００１１】
上記の構成になるポンプディスペンサーにおいては、前記ノズルヘッドを回転しその回転位置によって、前記それぞれのポンプユニットを１つまたは複数同時に任意に選択した比率の量で作動させる手段を備えることが好ましい。
【００１２】
また、前記ポンプ押込み部を脱着する手段を備え、他の前記ポンプ押込み部と交換する、および／または前記ポンプ押込み部の上下の面の形状を異なるものを備え上下の面の装着方向を変更する手段を備えることができる。
【００１３】
また、トリガー式手段を備えることができる。
【００１４】
また、前記ノズルヘッドの回転位置に合わせて筺体の外面に前記内容物の噴出比率および／または外部の湿度および／または外部の紫外線量および／または外部の温度および／または外部の環境の他のセンシング値を表示するラベルあるいはステッカーあるいは印刷あるいは刻印を備えることができる。
【００１５】
また、前記ポンプユニットは、前記内容物の化学的性質、粘性、物性および／または噴出する容量により、同一および／または異なる種類のポンプユニットを備えることができる。
【発明の効果】
【００１６】
本発明によれば、２つ以上の液体、ゲル、スラリー、ペースト、および／または流体の入ったそれぞれの容器からそれぞれのポンプユニット、それぞれの流路部を経てノズルヘッドの内容物の出口まで、それぞれの内容物を互いに物理的に接触しないように保持、流動できる。使用の際に、それぞれの内容物をノズルヘッドの内容物の出口から噴出中または噴出直後に接触あるいは混合させることができる。
【００１７】
本発明によれば、ノズルヘッドの作動でポンプ押込み部を連動させ、さらにこの作動量はポンプユニットへ伝えられる。これにより、消費者によるノズルヘッドの操作でポンプユニットを動かすことができる。
【００１８】
本発明によれば、１つまたは複数の部位において上下で寸法に差異がある形状を有するポンプ押込み部を備え、ポンプ押込み部がノズルヘッド下部付近に機械的に接続されており、ポンプ押込み部の寸法の差異部分と１つまたは複数のポンプユニットが直接または間接に接触する構成になっている。この構成でノズルヘッドを下方へ作動させるとポンプ押込み部の寸法の差異により異なる作動量でそれぞれのポンプユニットを作動できる。
【００１９】
本発明によれば、ノズルヘッドを回転することでポンプ押込み部を回転しその寸法の差異の位置構成を変更したり、異なる形状のポンプ押込み部に変更すると、ポンプユニットと接触するポンプ押込み部の部位（部位により上下寸法が異なる）を変更できる。
【００２０】
たとえば、このポンプ押込み部の主な形状を、円柱の下面を斜めに切り取ったような形状とすることでこの立体の外周近辺での上面と下面との厚みで厚い部分と薄い部分を形成し、この厚みの違う位置の下面の直下にそれぞれのポンプユニットを配置する。そして、この形状のポンプ押込み部を下方へ作動させると厚みの違いにより異なる作動量でそれぞれのポンプユニットを下方へ作動する。また、ノズルヘッドを回転することでポンプ押込み部を回転し、それぞれのポンプユニットの真上のポンプ押込み部の厚みを変更する。これにより、複数のポンプユニットを同時に無段階に任意の比率で作動できる。
【００２１】
また、このポンプ押込み部の主な形状を、円柱の下面を斜めに切り取ったような形状にする以外にポンプ押込み部の外周近辺で厚みを段差状の形状とするポンプ押込み部を備えることもできる。このような形状とすれば、このポンプ押込み部の作動による下方作動量は回転位置ごとに段差厚み量とすることができ、それぞれのポンプユニットの作動量も回転位置ごとに段差厚み量となる。これにより、複数のポンプユニットを同時に段差厚み量ごとの比率で作動できる。
【００２２】
また、ポンプ押込み部の下面を一部のみ凸部を形成するポンプ押込み部を備えることもできる。このような形状とすれば、凸部の真下のポンプユニットのみ１００パーセント作動され内容物を噴出できる。これにより、1つのポンプディスペンサーで複数の容器の内容物から選択的に１００パーセント噴出することができる。
また、ポンプ押込み部の下面を一部のみ凹部を形成するポンプ押込み部を備えることもできる。このような形状とすれば、凹部の真下のポンプユニット以外が作動され、複数の内容物を同時に同じ比率の量で噴出できる。これにより、1つのポンプディスペンサーで複数の容器の内容物から選択的に同じ比率の量で噴出することができる。
【００２３】
本発明のポンプディスペンサーは、上記のように、ポンプ押込み部の形状によりその作動によって、それぞれのポンプユニットを１つまたは複数同時に任意に選択した比率の作動量で作動でき、それぞれの容器のそれぞれの内容物をそれぞれのポンプユニットで吸引、加圧、圧送し、それぞれの流路部を通りノズルヘッドの外へ噴出することができる。
【００２４】
本発明のポンプディスペンサーは、複数のポンプディスペンサーで複数の内容物を保持する従来品に比べ、比較的少ない部品で作製できる、したがって、本発明のポンプディスペンサーは、廃棄後の環境への負荷が少ない、かつ低コストであり、かつ故障しにくく、効果的なポンプディスペンサーを提供できる。
【００２５】
本発明のポンプディスペンサーは、好ましくは、液体、ゲル、スラリー、ペースト、および／または流体などの内容物の粘性や物性にあわせたポンプユニットを配置し構成することができる。これらのポンプユニットは、当技術分野における従来のいろいろな種類のポンプユニットを利用することができる。
たとえば、内容物の粘性や物性ごとに対応したポンプユニットを複数組み合わせることができる。これにより、それぞれの内容物をより効率的に吸引、加圧、圧送できる。
また、１回のストロークで噴出する量の異なるポンプユニットを複数組み合わせることができる。これにより、それぞれのポンプユニットの１ストローク当たりの噴出量を変えて吸引、加圧、圧送できる。
このように、機能あるいは性能あるいは噴出量の異なる、ポンプユニット部品を本発明のポンプディスペンサーに組み込むことで高機能かつ高品質を低コストで実現できる。
【００２６】
本発明のポンプディスペンサーは、好ましくは、流路部に柔軟性のある樹脂の管を用いる。また、内容物の粘性や物性にあわせ同一または２つ以上の種類の樹脂の管を用いてもよい。これにより、管の柔軟性と遊び（たわみ）により、ポンプディスペンサー内部に流路部を容易に配置できポンプディスペンサーの製造が容易になる。また、噴出量にあわせ同一または２つ以上の径の管を用いてもよい。これにより、この流路部内の内容物を小さい抵抗で効率よく送れる。
【００２７】
本発明のポンプディスペンサーは、好ましくは、ノズルヘッドの回転を一定の位置で止めるストッパ手段を備える。これにより、流路部の管がヨジレて切断したり潰れて遮断されることを防げる。
【００２８】
本発明のポンプディスペンサーは、好ましくは、ノズルヘッドの回転位置に対し、クリック感を持たせた一時ストッパを備える。これにより、消費者は、ノズルヘッドを回転させ噴出したい内容物を選択する際に感覚的に認識できる。
【００２９】
本発明のポンプディスペンサーは、好ましくは、カバー部分にポンピング位置を示した印を備える。これにより、消費者は、ノズルヘッドを回転させ噴出したい内容物を選択する際に視覚的に認識でき、好みの比率の量で噴出できる。
【００３０】
本発明のポンプディスペンサーは、好ましくは、ノズルヘッドまたはポンプ押込み部にばね手段を備える。これにより、ポンプ押込み部とポンプユニットが常に接触あるいは僅かな隙間を持って保持され、消費者のノズルヘッドの押下操作時、ただちに内容物を噴出できる。
【００３１】
本発明はまた、本発明のポンプディスペンサーの使用を通じて、２つ以上の液体、ゲル、スラリー、ペースト、および／または流体を、１つまたは複数同時に任意に選択した比率の量で噴出するための方法に関する。
【００３２】
本発明はまた、壁、膜および類似のものによって、２つ以上の区画に分割される単一の容器または複数の容器に関する。
【００３３】
本発明はまた、噴出される流動性の内容物の特性を保護するように、ポンプディスペンサー内および容器内の領域を、防湿性、および／または気密性およびまたは耐光性にすることに関する。これらの目的を達成するために、シール、濃色プラスチック、および耐腐食性材料などを使用することは、本明細書に記載のような本発明のポンプディスペンサーの内容の技術に含まれる。
【００３４】
本発明のポンプディスペンサーは、好ましくは、流路部をノズルヘッドおよびポンプ押込み部の中心またはその付近を通り配置するように構成することができる。これにより、流路部の配置をコンパクトにまとめられ、しいてはポンプディスペンサー本体をコンパクトにできる。別法として、流路部の配置をノズルヘッドおよびポンプ押込み部の外側に配置するように構成することができる。
【００３５】
本発明のポンプディスペンサーは、好ましくは、２つ以上の液体、ゲル、スラリー、ペースト、および／または流体の容器と、ポンプユニットの基底部またはそれに相当する部分との間に、パッキン手段を備える。これにより、容器とポンプユニットの間で内容物を外部に漏れ出さないようにできる。別法として、機械的にまたは成形でまたは接着で接続することもできる。
【００３６】
以下は、本発明の実施形態であるポンプディスペンサーの詳細な説明である。
【発明を実施するための最良の形態】
【００３７】
以下、本発明の実施形態を図面に基づいて説明する。
図１は、本発明のポンプディスペンサー１の斜視図である。ポンプディスペンサー１のカバー２が、たとえば２つのボトル３ａおよび３ｂと接続されている。内容物２３ａおよび２３ｂをポンプディスペンサー１から噴出すために押下されるノズルヘッド４が接続されている。ノズルヘッド４の前面の内部には２つのノズル内容物出口５ａおよび５ｂを露出している。
【００３８】
図２は、本発明のポンプディスペンサー１の内部構成を説明するための分解図である。図３から図５は、本発明の実施形態の断面図である。浸漬管６ａおよび６ｂが、ポンプユニット７ａおよび７ｂからボトル３ａおよび３ｂ内にそれぞれ延びている。流路管９ａおよび９ｂ（上記の文では流路部と表現し記述）が、ポンプヘッド８ａおよび８ｂに接続され、ポンプ押込み部１０とカバー２の内部を通りノズルヘッド４内のノズル内容物出口５ａおよび５ｂへ接続されている。ポンプ押込み部１０は、スプリング１２とカバー２を貫通し、ノズルヘッド４と機械的に接続されている。
【００３９】
ボトル穴１３ａおよび１３ｂがボトル３ａおよび３ｂの上面に開けられている。そのボトル穴１３ａおよび１３ｂの上面にパッキン１４ａおよび１４ｂまたはＯリング（図示せず）を配置している。ポンプユニット台座１５には、ポンプユニット台座穴１６ａおよび１６ｂが開けられている。ボトル穴１３ａおよび１３ｂと、パッキン１４ａおよび１４ｂと、ポンプユニット台座穴１６ａおよび１６ｂを貫通するようにポンプユニット７ａおよび７ｂが配置されている。ポンプユニット７ａおよび７ｂとポンプユニット台座１５は、嵌め合い１７ａで接続されている、これは他の機械的手段または成形または接着で接続してもよい。さらに、ポンプユニット台座１５とカバー２は、嵌め合い１７ｂで接続されている、これは他の機械的手段または成形または接着で接続してもよい。これにより、カバー２とポンプユニット７ａおよび７ｂが固定される。さらに、ボトル３ａおよび３ｂとカバー２は、嵌め合い１７ｃで接続されている、これは他の機械的手段または成形または接着で接続してもよい。これにより、ポンプユニット台座１５とボトル３ａおよび３ｂの間でパッキン１４ａおよび１４ｂを挟み、圧迫することで内容物２３ａおよび２３ｂの漏出を防止できる。
【００４０】
ポンプ押込み部１０が、ポンプヘッド８ａおよび８ｂの上方に配置される。このポンプ押込み部１０の内側筒体１１はスプリング１２を貫通するように配置している。さらに内側筒体１１は、カバー２の筒体ガイド１８を貫通し、ノズルヘッド筒体１９に機械的にまたは成形でまたは接着で接続されている。また、流路管９ａおよび９ｂの一端はポンプヘッド内容物出口２０ａおよび２０ｂに接続し、もう一端はポンプ押込み部１０と内側筒体１１とノズルヘッド４の内側を通り、ノズル内容物出口５ａおよび５ｂに接続されている。
【００４１】
図４に示すように、消費者によりノズルヘッド４が押下されると接続しているポンプ押込み部１０が下方へ作動し、接触したポンプヘッド８ａおよび８ｂを機械的に押下させ、さらにピストン２１ａおよび２１ｂを動かし、シリンダ２２ａおよび２２ｂ内の内容物２３ａおよび２３ｂを圧縮し、ポンプヘッド側穴２４ａおよび２４ｂを通り、ポンプヘッド内容物出口２０ａおよび２０ｂから流路管９ａおよび９ｂを通り、ノズルヘッド４のノズル内容物出口５ａおよび５ｂから噴出させる（Ｆで流れ方向を示す）。このときボール２５ａおよび２５ｂは、内容物圧縮の際にシリンダ下穴２６ａおよび２６ｂを塞ぐ、これによりボトル３ａおよび３ｂ（図４では省略）側への流路を遮断しシリンダ２２ａおよび２２ｂ内の内容物２３ａおよび２３ｂがボトル３ａおよび３ｂに逆流することを防止する。スプリング１２は、ポンプ押込み部１０の下面とポンプヘッド８ａおよび８ｂの上部とで常に接触あるいは僅かな隙間を保つ力でポンプ押込み部１０を保持している。これにより、消費者がノズルヘッド４を押下する際に、ただちにポンプユニット７ａおよび７ｂを作動できる。
【００４２】
図５に示すように、消費者がノズルヘッド４の押下をやめると、スプリング１２より十分に力の強いピストンスプリング２７ａおよび２７ｂの反発力または別のスプリング力（図示せづ）により、ポンプヘッド８ａおよび８ｂが上昇し、さらにピストン２１ａおよび２１ｂがポンプヘッド側穴２４ａおよび２４ｂを塞ぎ、流路を遮断しながら上昇する、このとき、シリンダ２２ａおよび２２ｂ内は負圧となり、内容物２３ａおよび２３ｂが浸漬管６ａおよび６ｂ（図５では省略）を通りシリンダ２２ａおよび２２ｂ内に吸い込まれる。このときボール２５ａおよび２５ｂは、負圧の際にシリンダ内ストッパ２８ａおよび２８ｂで止まる、シリンダ内ストッパ２８ａおよび２８ｂには、横に隙間があり内容物２３ａおよび２３ｂが流動できるようになっている（Ｆで流れ方向を示す）。
【００４３】
本図６は、ポンプ押込み部１０を簡略化（内側筒体１１を省略）した分解図である。図４、図５、図６で内容物２３ａおよび２３ｂを１つまたは複数同時に任意に選択した比率の量で噴出するための仕組みを説明する。ポンプ押込み部１０は、円柱の下面を斜めに切り取ったような傾斜状の形状になっており、ポンプ押込み部１０の基準面Ｓ（作動量を示すための説明上の面）からポンプヘッド８ａの真上にあたる部分の厚みＴａとポンプヘッド８ｂの真上にあたる部分の厚みＴｂを成している。ポンプディスペンサー１のノズルヘッド４が、無操作状態では、基準面Ｓは、図５の上端停止位置Ｕにある、ノズルヘッド４をいちばん下まで押下すると図４の下端停止位置Ｄで停止する。ノズルヘッド４を回転すると接続固定しているポンプ押込み部１０も同時に回転し、その回転位置により厚みＴａおよびＴｂを変更できる、そしてノズルヘッド４を押下するとポンプヘッド８ａおよび８ｂの作動量は、この回転位置でのＴａおよびＴｂとなる。
たとえば、ＴａまたはＴｂの最大値が１８ｍｍ、最小値が０ｍｍとした場合、回転位置０度でＴａが１８ｍｍであれば、反対側のＴｂは０ｍｍ（ポンプヘッド８ａから見てポンプヘッド８ｂはポンプユニット台座１５中心を中心にしておよそ１８０度の位置にある）になる。ここを仮に回転位置０度としてノズルヘッド４を押下するとポンプヘッド８ａの作動量は１８ｍｍとなり、ポンプヘッド８ｂの作動量は０ｍｍとなる、つまり、ポンプユニット７ａのみを１００パーセント作動させることになる。
つぎに、ノズルヘッド４を８０度回転させるとＴａが１０ｍｍ（本例では、回転１０度あたり厚みが１ｍｍ変化する）となり、Ｔｂは８ｍｍになる。この回転位置８０度でノズルヘッド４を押下するとポンプヘッド８ａの作動量は１０ｍｍとなり、ポンプヘッド８ｂの作動量は８ｍｍとなる。
つぎに、ノズルヘッド４の回転位置を９０度とするとＴａが９ｍｍ、Ｔｂが９ｍｍになる。この回転位置９０度でノズルヘッド４を押下するとポンプヘッド８ａの作動量は９ｍｍとなり、ポンプヘッド８ｂの作動量も９ｍｍとなる。つまり内容物２３ａと２３ｂを５０％の比率の量で噴出する。
上記のように、ポンプヘッド８ａとポンプヘッド８ｂの作動量の比率は、ノズルヘッド４の回転位置により選択が可能である。
【００４４】
図２、図３に示すように、ポンプヘッド８ａと８ｂの作動量が、ある比率になるノズルヘッド４の回転位置ごとに、筒体ガイド１８の内側に回転停止用凸部２９を形成し、内側筒体１１の外周に回転停止用凹部３０を形成する。これにより、消費者は、クリック感を感じながらノズルヘッド４を回転させ、希望の比率の回転位置で止め、ノズルヘッド４を押下し内容物２３ａおよび２３ｂを噴出することができる。前記凸部２９と前記凹部３０はそれぞれ逆の溝の構成であってもよい（図示せづ）、または、別の機械的構造（図示せづ）によりクリック感をだしてもよい。
【００４５】
図２では、ノズルヘッド４の回転位置に内容物の噴出比率を指し示す目印３１をカバー２にラベルあるいはステッカーあるいは印刷あるいは刻印している。これにより、消費者はノズルヘッド４の回転位置と内容物の噴出比率を認識できる。
図１１では、ノズルヘッド４の回転位置に外気の湿度により可逆的に変色する目印３１のラベルあるいはステッカーあるいは印刷をカバー２に付けている。これにより、消費者は外気の湿度に合わせ適した内容物の比率の量で噴出を行うことができる、これは例えば、環境により化粧品の噴出比率を選択する場合などに適している。この目印３１は、温度あるいは紫外線量などのセンサー機能を持つ他のラベルあるいはステッカーあるいは印刷を付けることもできる。
【００４６】
図７では、カバー２内側にノズルヘッド４の回転範囲を抑制するストッパ３２ａおよび３２ｂを配置している。図３のように、ポンプ押込み部１０には、ストッパ突起３３が出ている。これにより、ノズルヘッド４を回転した際に、一定回転位置（本例では、１８０度）以上回ることを制限する。これにより、流路管９ａおよび９ｂがヨジレて切断したり、流路が潰れて遮断することを防ぐ。
【００４７】
図８および図９は、ポンプ押込み部１０を別の形状にしている。この例では、ポンプ押込み部１０の下側を１つの凸部のみとしている。これにより、ポンプヘッド８ａあるいは８ｂを選択し内容物２３ａあるいは２３ｂを１００パーセント噴出することができる。
【００４８】
図１０は、３つのポンプユニット７ａおよび７ｂおよび７ｃを配置している。この例では、ポンプユニット７ａを大噴出量タイプまたは高粘性タイプ、ポンプユニット７ｂを中噴出量タイプまたは中粘性タイプ、ポンプユニット７ｃを小噴出量タイプまたは低粘性タイプにしている。さらに、それぞれのタイプに対応する流路管９ａおよび９ｂおよび９ｃを配置している。これにより、それぞれのポンプユニット１ストロークあたりの内容物２３ａおよび２３ｂおよび２３ｃの噴出量を変更したり、粘性にあった適切なポンプユニットを使用することができる。このように、本発明のポンプディスペンサー１は、ポンプユニット７ａおよび７ｂおよび７ｃを複数種類組み合わせて使用することができる。
【００４９】
図１２は、本発明のポンプディスペンサー１のノズルヘッド４を押下する手段として、トリガー式の構造を備えたものである。この例では、カバー２の上部に回転可能な状態でレバー台３４を備え（本例では、筒体ガイド１８の外周にリング状に配置し回転可能としている）、さらにレバー３６がジョイント３５を介してレバー台３４と接続している、ノズルヘッド４にはノズルヘッド突起３７を備えレバー３６が引っかかる構造となっている。これにより、消費者は、レバー３６の引き込み操作Ｐにより、レバー３６がジョイント３５を支点にして下方へ移動しノズルヘッド突起３７を押下し内容物を噴出することができる、また、ノズルヘッド４を回転操作Ｒしその回転位置によって、内容物を１つまたは複数同時に任意に選択した比率の量で噴出することができる。図１３は、図１２に示したトリガー式の構造を備えたポンプディスペンサーの断面図である。このように、本発明のポンプディスペンサー１は、トリガー式手段を配置することでトリガー式ポンプディスペンサーとして動作させることができる。
【００５０】
図１４は、ポンプ押込み部１０の厚みを段差状の形状とするポンプ押込み部１０を備えたものである。基準面Ｓから、うすい厚みＴ１、中位の厚みＴ２、あつい厚みＴ３の３つの段差を作り、上から見て反時計回りにＴ１、Ｔ２、Ｔ３と厚みが増えていくよう構成している。このような段差状の形状とすれば、ポンプ押込み部１０の作動による各ポンプヘッドの作動量は回転位置ごとに別々の比率とすることができる。例えば、うすい厚みＴ１の下方にポンプヘッド８ａが来れば、中位の厚みＴ２の下方にポンプヘッド８ｂが来て、あつい厚みＴ３の下方にポンプヘッド８ｃが来ることになる、この状態でノズルヘッド４を押下するとポンプヘッド８ａから少量の噴出、ポンプヘッド８ｂから中量の噴出、ポンプヘッド８ｃから大量の噴出を同時に行うことができる。なお、この例では、スプリング１２をポンプ押込み部の下側に配置しており、下方からポンプ押込み部１０を上方へ戻す働きをしている。これのより、ノズルヘッド４の押下後に手を離すとノズルヘッド４が上方へ戻る、そして、ノズルヘッド４が上方へ戻った状態でノズルヘッド４を回転し、他の噴出比率を選択することができる。
【００５１】
さらに図１５は、ポンプ押込み部１０の別の形態を示す。ポンプ押込み部１０の下半分は、図１４のポンプ押込み部１０と同じような形状であり、基準面Ｓからうすい厚みＴＬ１、中位の厚みＴＬ２、あつい厚みＴＬ３の３つの段差を作り、上方から見て反時計回りにＴＬ１、ＴＬ２、ＴＬ３と厚みが増えていくよう配置している（これを仮にＦＬ面とする）。ポンプ押込み部１０の上半分は、上側に段差を形成した形状としている（これを仮にＦＵ面とする）、基準面Ｓからうすい厚みＴＵ１、中位の厚みＴＵ２、あつい厚みＴＵ３を備える（本例では、厚み量はＴＬ１＝ＴＵ１、ＴＬ２＝ＴＵ２、ＴＬ３＝ＴＵ３としている）、ＦＵ面をひっくり返し下方に向けた場合、上から見て反時計回りにＴＵ１、ＴＵ３、ＴＵ２という並びになりＦＬ面を下方に向けた場合と異なる並びを成す。内側筒体１１とポンプ押込み部１０にはお互いに脱着接続できるようにネジ部Ｊ（これはネジ以外の機械的はめ合い構造でもよい）を備える。これにより、消費者はカバー２を外し、好きな面（ＦＬ面やＦＵ面）を内側筒体１１に脱着できるようになる。この構成により、ＦＬ面を使っての各内容物（２３ａおよび２３ｂおよび２３ｃ）の同時噴出比率の組み合わせが、３通り作れる。また、ＦＵ面を使っての各内容物（２３ａおよび２３ｂおよび２３ｃ）の同時噴出比率の組み合わせが、３通り作れる。合計６通りとなり、すべての各内容物の組み合わせ（３×２×１＝６通り）の噴出の組み合わせができる。
【００５２】
図１４、図１５で示した例では、段差を３段としているが、４段以上で同様に配置することもできる。また、図１５では、ＦＬ面やＦＵ面を構成しているが、片面にＦＬ面とＦＵ面の段差を配置し片面だけで構成することもできる。あるいは、別の段差の構成や形状や組合せを有してもよい。
【００５３】
図１５では、ポンプ押込み部１０の両面を使う場合、片面を使う場合にかかわらず別のバリエーションの部品としてポンプ押込み部１０を消費者に提供することもできる。これにより、ポンプ押込み部１０の部品を脱着しそれぞれの内容物を好きな比率の量で噴出することができる。この場合、ポンプディスペンサー１のポンプ押込み部１０以外は共通の部品で構成できるため、低コストで複数のバリエーションを提供でき多機能的なポンプディスペンサー１を提供できる。
【００５４】
図１７では、ポンプユニット７ａおよび７ｂとボトル３ａおよびボトル３ｂの接続にネジによる方法を備えたものである。ポンプユニット７ａおよび７ｂには、ネジキャップ３８ａおよび３８ｂが取り付けられている、また、ボトル３ａおよびボトル３ｂには、ネジ口３９ａおよび３９ｂが形成されている。これにより、消費者はネジキャップ３８ａおよび３８ｂをネジ口３９ａおよび３９ｂへねじ込むことができる。（ポンプユニット７ａおよび７ｂには鍔４０ａおよび鍔４０ｂがあり、ネジキャップ３８ａおよび３８ｂがこれら鍔に引っかかる、ねじ込むとポンプユニット７ａおよび７ｂがネジキャップ３８ａおよび３８ｂと共に固定される構造となっている。また、ねじ込みの際にネジキャップ３８ａおよび３８ｂは、自由に回転できる）。これにより、ポンプユニット７ａおよび７ｂとボトル３ａおよびボトル３ｂが接続され内容物２３ａおよび２３ｂの漏出を防止できる。また、ねじ込みの方法は、他に知られている方法でもよい。
【００５５】
以上のように本発明のポンプディスペンサー１は、それぞれのボトル３ａおよび３ｂおよび３ｃに入れられたそれぞれの内容物２３ａおよび２３ｂおよび２３ｃを、１つまたは複数同時に任意に選択した比率の量で噴出することができる。
【実施例１】
【００５６】
図１７は、本発明の実施例であって、左右に個別にボトルを配置し、２つの内容物が混じらないよう保持できる、上部にはポンプユニットを挿入するボトル穴があけてある、パッキンを配置し内容物の漏れを防止している。内容物には、シャンプーとコンディショナーをそれぞれ入れることができる。
【００５７】
図１８は、図１７のボトルに装着するポンプユニットとカバーとノズルヘッドのアセンブリを示している、ポンプユニットが左右個別に配置され、２つの内容物を混ぜることなく吸引、加圧、圧送できる。
【００５８】
図１９は、図１７と図１８の部品を組み立て、ポンプディスペンサーとしたものである。ノズルヘッドの回転により内容物を選択し噴出できる。
【００５９】
図２０は、図１９のポンプディスペンサーのノズル内容物出口を示したものである。内容物ごとにそれそれの出口を配置し、内容物はここから噴出される、内容物がポンプディスペンサー内部で混ざることはなく、本発明の目的を実現できる。
【実施例２】
【００６０】
図２１は、本発明の別の実施例である。図１８とは別のポンプユニットのタイプである。内容物には粘性の低い化粧水と乳液を扱えるタイプである。
【００６１】
図２２は、図２１のポンプユニット部分を下から見たものを示している、流路管とポンプ押込み部が配置されている。
【００６２】
図２３は、図２１を装着したポンプディスペンサーである。それぞれボトルにそれぞれの内容物が保持されている。
【実施例３】
【００６３】
図２４は、本発明のさらに別の実施例である。ポンプユニットを４つ装着している。内容物を４種類扱える。
【００６４】
図２５は、図２４のポンプディスペンサーのボトル部分を示したものである。個別にボトルを配置し、４つの内容物が混じらないよう保持できる。ボトルそれぞれが分離できるので、内容物の補充を個々に行える。上部にはポンプユニットを挿入するボトル穴があけてある、パッキンを配置し内容物の漏れを防止している。本ポンプディスペンサー１つで、シャンプーとコンディショナーとボディーソープとハンドソープ等をそれぞれ入れることができる。
【００６５】
図２６は、図２４と図２５の部品を組み立て、ポンプディスペンサーとしたものである。ノズルヘッドの回転により内容物を選択し噴出できる。
【００６６】
図２７は、図２６のポンプディスペンサーのノズル内容物出口を示したものである。内容物ごとにそれぞれの出口を配置し、内容物はここから噴出される、内容物がポンプディスペンサー内部で混ざることはなく、本発明の目的を実現できる。
【図面の簡単な説明】
【００６７】
【図１】本発明の本実施形態によるポンプディスペンサーを示す斜視図である。
【図２】本発明の本実施形態によるポンプディスペンサーを示す分解図である。
【図３】本発明の本実施形態によるポンプディスペンサーを示す断面図である。
【図４】本発明の本実施形態によるポンプディスペンサーのノズルヘッド４の押下時のポンプヘッド８ａおよび８ｂの下降作動を示す断面図である。
【図５】本発明の本実施形態によるポンプディスペンサーのポンプヘッド８ａおよび８ｂの上昇作動を示す断面図である。
【図６】本発明の本実施形態によるポンプディスペンサーのポンプ押込み部１０の説明のための簡略化した分解図である。
【図７】本発明の本実施形態によるポンプディスペンサーのストッパ３２ａおよび３２ｂ部分の説明のための透視図である。
【図８】本発明に従うポンプディスペンサーの他の実施の形態を示した断面図である。
【図９】図８に示したポンプディスペンサーの他の分解図である。
【図１０】本発明に従うポンプディスペンサーのさらに他の実施の形態を示した図である。
【図１１】本発明に従うポンプディスペンサーのカバー部の形態を示した図である。
【図１２】本発明に従うポンプディスペンサーのさらに他の実施の形態であるトリガー式手段を付加した図である。
【図１３】図１２に示したポンプディスペンサーの断面図である。
【図１４】本発明に従うポンプディスペンサーのさらに他の実施の形態を示した図である。
【図１５】本発明に従うポンプディスペンサーのさらに他の実施の形態を示した図である。
【図１６】本発明に従うポンプディスペンサーの他のポンプユニットとボトルの接続形態を示した図である。
【図１７】ポンプディスペンサーの実施例を示した図面代用写真である。（実施例１）
【図１８】ポンプディスペンサーの実施例を示した図面代用写真である。（実施例１）
【図１９】ポンプディスペンサーの実施例を示した図面代用写真である。（実施例１）
【図２０】ポンプディスペンサーの実施例を示した図面代用写真である。（実施例１）
【図２１】ポンプディスペンサーの別の実施例を示した図面代用写真である。（実施例２）
【図２２】ポンプディスペンサーの別の実施例を示した図面代用写真である。（実施例２）
【図２３】ポンプディスペンサーの別の実施例を示した図面代用写真である。（実施例２）
【図２４】ポンプディスペンサーのさらに別の実施例を示した図面代用写真である。（実施例３）
【図２５】ポンプディスペンサーのさらに別の実施例を示した図面代用写真である。（実施例３）
【図２６】ポンプディスペンサーのさらに別の実施例を示した図面代用写真である。（実施例３）
【図２７】ポンプディスペンサーのさらに別の実施例を示した図面代用写真である。（実施例３）
【符号の説明】
【００６８】
１      ポンプディスペンサー
２      カバー
３ａ    ボトル
３ｂ    ボトル
３ｃ    ボトル
４      ノズルヘッド
５ａ    ノズル内容物出口
５ｂ    ノズル内容物出口
５ｃ    ノズル内容物出口
６ａ    浸漬管
６ｂ    浸漬管
６ｃ    浸漬管
７ａ    ポンプユニット
７ｂ    ポンプユニット
７ｃ    ポンプユニット
８ａ    ポンプヘッド
８ｂ    ポンプヘッド
８ｃ    ポンプヘッド
９ａ    流路管
９ｂ    流路管
９ｃ    流路管
１０    ポンプ押込み部
１１    内側筒体
１２    スプリング
１３ａ  ボトル穴
１３ｂ  ボトル穴
１３ｃ  ボトル穴
１４ａ  パッキン
１４ｂ  パッキン
１４ｃ  パッキン
１５    ポンプユニット台座
１６ａ  ポンプユニット台座穴
１６ｂ  ポンプユニット台座穴
１７ａ  嵌め合い
１７ｂ  嵌め合い
１７ｃ  嵌め合い
１８    筒体ガイド
１９    ノズルヘッド筒体
２０ａ  ポンプヘッド内容物出口
２０ｂ  ポンプヘッド内容物出口
２１ａ  ピストン
２１ｂ  ピストン
２２ａ  シリンダ
２２ｂ  シリンダ
２３ａ  内容物
２３ｂ  内容物
２３ｃ  内容物
２４ａ  ポンプヘッド側穴
２４ｂ  ポンプヘッド側穴
２５ａ  ボール
２５ｂ  ボール
２６ａ  シリンダ下穴
２６ｂ  シリンダ下穴
２７ａ  ピストンスプリング
２７ｂ  ピストンスプリング
２８ａ  シリンダ内ストッパ
２８ｂ  シリンダ内ストッパ
２９    回転停止用凸部
３０    回転停止用凹部
３１    目印
３２ａ  ストッパ
３２ｂ  ストッパ
３３    ストッパ突起
３４    レバー台
３５    ジョイント
３６    レバー
３７    ノズルヘッド突起
３８ａ  ネジキャップ
３８ｂ  ネジキャップ
３９ａ  ネジ口
３９ｂ  ネジ口
４０ａ  鍔
４０ｂ  鍔
Ｓ      基準面
Ｔａ    ポンプヘッド８ａの真上にあたる部分の厚み
Ｔｂ    ポンプヘッド８ｂの真上にあたる部分の厚み
Ｕ      上端停止位置
Ｄ      下端停止位置
Ｆ      流れ方向
Ｐ      引き込み操作
Ｊ      ネジ部
Ｔ１    うすい厚み
Ｔ２    中位の厚み
Ｔ３    あつい厚み
ＴＬ１  下半分のうすい厚み
ＴＬ２  下半分の中位の厚み
ＴＬ３  下半分のあつい厚み
ＴＵ１  上半分のうすい厚み
ＴＵ２  上半分の中位の厚み
ＴＵ３  上半分のあつい厚み
ＦＬ    下半分の面
ＦＵ    上半分の面
Ｒ      回転操作
【図１】
2010005537.tif 000003
【図２】
2010005537.tif 000004
【図３】
2010005537.tif 000005
【図４】
2010005537.tif 000006
【図５】
2010005537.tif 000007
【図６】
2010005537.tif 000008
【図７】
2010005537.tif 000009
【図８】
2010005537.tif 000010
【図９】
2010005537.tif 000011
【図１０】
2010005537.tif 000012
【図１１】
2010005537.tif 000013
【図１２】
2010005537.tif 000014
【図１３】
2010005537.tif 000015
【図１４】
2010005537.tif 000016
【図１５】
2010005537.tif 000017
【図１６】
2010005537.tif 000018
【図１７】
2010005537.tif 000019
【図１８】
2010005537.tif 000020
【図１９】
2010005537.tif 000021
【図２０】
2010005537.tif 000022
【図２１】
2010005537.tif 000023
【図２２】
2010005537.tif 000024
【図２３】
2010005537.tif 000025
【図２４】
2010005537.tif 000026
【図２５】
2010005537.tif 000027
【図２６】
2010005537.tif 000028
【図２７】
2010005537.tif 000029